(57)【特許請求の範囲】
【請求項１】
電池残量を検出する電池残量検出手段と、
通信手段と、
イベント及び当該イベントの発生時刻を対応付けてスケジューラアプリケーションに記憶する記憶手段と、
前記記憶手段に記憶されたイベントが、ユーザが保護者のもとを離れるイベントである場合、当該イベントに対応付けられた当該イベントの発生時刻を抽出し、当該イベントの発生時刻より所定時間前の時刻に、前記電池残量に関する情報を通知する制御手段と、を備える携帯通信機器。
【請求項２】
電池残量を検出する電池残量検出手段と、
通信手段と、
イベント及び当該イベントの発生時刻を対応付けてスケジューラアプリケーションに記憶する記憶手段と、
前記記憶手段に記憶されたイベントが、ユーザが外出又は登校するイベントである場合、当該イベントに対応付けられた当該イベントの発生時刻を抽出し、当該イベントの発生時刻より所定時間前の時刻に、前記電池残量に関する情報を通知する制御手段と、を備える携帯通信機器。
【請求項３】
前記制御手段は、前記電池残量に関する情報を予め設定された宛先に前記通信手段によって通知する請求項１又は２に記載の携帯通信機器。
【請求項４】
所定の宛先に対する発信を実行する緊急呼出手段をさらに備え、
前記制御手段は、前記所定の宛先を前記電池残量に関する情報を送信する宛先とする請求項３に記載の携帯通信機器。
【請求項５】
前記制御手段は、前記電池残量検出手段によって第１の閾値以下の電池残量が検出された場合、当該電池残量が第２の閾値以上になるまで充電に要する時間を前記所定時間とし、前記イベントの発生時刻より所定時間前の時刻が現在時刻より前の場合には、前記通信手段によって前記電池残量に関する情報を通知する請求項１から４のいずれか一項に記載の携帯通信機器。
【請求項６】
前記制御手段は、第１の閾値以下の電池残量が検出された後に、前記電池残量が前記第１の閾値より大きい第２閾値まで回復した場合、前記通信手段によって前記電池残量に関する情報を通知する請求項１から４のいずれか一項に記載の携帯通信機器。
【請求項７】
イベント及び当該イベントの発生時刻を対応付けてスケジューラアプリケーションに記憶させ、前記記憶されたイベントが、ユーザが保護者のもとを離れるイベントである場合、当該イベントに対応付けられた当該イベントの発生時刻を抽出し、当該イベントの発生時刻より所定時間前の時刻に、電池残量に関する情報を通知させるプログラム。
【発明の詳細な説明】
【技術分野】
【０００１】
本発明は、携帯通信機器に関し、特に、携帯通信機器の電池残量に関する情報を通知する携帯通信機器に関する。
【背景技術】
【０００２】
従来から、親は、子供の現在位置等を子供の携帯端末から送信される情報を基に把握することができた。しかしながら、そのような従来の子供の携帯端末において、圏外等のネットワークにつながらない状況においては、現在位置等の情報を送信することができないという問題が生じた。このような問題を解決するために、特許文献１の発明が提案されている。
【０００３】
特に、特許文献１には、被保護者（子供）の携帯電話の電池残量が設定されたしきい値より少なくなったら、警告メールを保護者（親）の携帯電話に通知して充電を促す技術が開示されている。
【先行技術文献】
【特許文献】
【０００４】
【特許文献１】特開２００８−９８７４４号公報
【発明の概要】
【発明が解決しようとする課題】
【０００５】
しかし、特許文献１における被保護者（子供）の携帯電話は、電池残量がしきい値以下になったことのみを契機として、保護者（親）の携帯電話に通知する。そのため、例えば、被保護者が保護者と離れている時間帯に警告メールが保護者の携帯電話に通知された場合、保護者は、被保護者の携帯電話を充電することができずに、電池切れになってしまい、緊急の際等に被保護者との通信ができなくなってしまうという恐れがあった。このように、保護者にとって望ましい時間帯に、必ずしも電池残量が通知されるわけではない。
【０００６】
本発明は、このような問題に鑑みてなされたものであって、電池残量に関する情報を望ましい時間帯に送信することのできる携帯通信機器を提供することを目的とする。
【課題を解決するための手段】
【０００７】
本発明は、前記課題に鑑みてなされたものであり、電池残量を検出する電池残量検出手段と、通信手段と、イベント及び当該イベントの発生時刻を対応付けてスケジューラアプリケーションに記憶する記憶手段と、前記記憶手段に記憶されたイベントが、ユーザが保護者のもとを離れるイベントである場合、当該イベントに対応付けられた当該イベントの発生時刻を抽出し、当該イベントの発生時刻より所定時間前の時刻に、前記通信手段によって前記電池残量に関する情報を通知する制御手段と、を備える携帯通信機器である。
また、本発明は、電池残量を検出する電池残量検出手段と、通信手段と、イベント及び当該イベントの発生時刻を対応付けてスケジューラアプリケーションに記憶する記憶手段と、前記記憶手段に記憶されたイベントが、ユーザが外出又は登校するイベントである場合、当該イベントに対応付けられた当該イベントの発生時刻を抽出し、当該イベントの発生時刻より所定時間前の時刻に、前記通信手段によって前記電池残量に関する情報を通知する制御手段と、を備える携帯通信機器である。
また、好適には、前記制御手段は、前記電池残量に関する情報を予め設定された宛先に通知する。
また、好適には、所定の宛先に対する発信を実行する緊急呼出手段をさらに備え、前記制御手段は、前記所定の宛先を前記電池残量に関する情報を送信する宛先とする。
また、好適には、前記制御手段は、前記電池残量検出手段によって第１の閾値以下の電池残量が検出された場合、当該電池残量が第２の閾値以上になるまで充電に要する時間を前記所定時間とし、前記イベントの発生時刻より所定時間前の時刻が現在時刻より前の場合には、前記通信手段によって前記電池残量に関する情報を通知する。
また、好適には、前記制御手段は、第１の閾値以下の電池残量が検出された後に、前記電池残量が前記第１の閾値より大きい第２閾値まで回復した場合、前記通信手段によって前記電池残量に関する情報を通知する。
また、本発明は、イベント及び当該イベントの発生時刻を対応付けてスケジューラアプリケーションに記憶させ、前記記憶されたイベントが、ユーザが保護者のもとを離れるイベントである場合、当該イベントに対応付けられた当該イベントの発生時刻を抽出し、当該イベントの発生時刻より所定時間前の時刻に、電池残量に関する情報を通知させるプログラムである。
【発明の効果】
【００１４】
本発明によれば、電池残量に関する情報を望ましい時間帯に送信することのできる携帯通信機器を提供することができる。
【図面の簡単な説明】
【００１５】
【図１】本実施形態に係る携帯通信機器の構成を示すブロック図である。
【図２】本実施形態に係る携帯通信機器の外観を示す図である。
【図３】本実施形態に係る携帯通信機器の使用状況を示す図である。
【図４】本実施形態に係る携帯通信機器の動作を示すフローチャートである。
【図５】本実施形態に係る携帯通信機器の動作の一例における電池残量の推移を表す図である。
【図６】本実施形態に係る携帯通信機器の動作の一例における各時刻を時系列に表す図である。
【図７】本実施形態に係る携帯通信機器の動作の他の例における電池残量の推移を表す図である。
【図８】本実施形態に係る携帯通信機器の動作の他の例における各時刻を時系列に表す図である。
【発明を実施するための形態】
【００１６】
以下、本発明の実施形態を添付図面に基づいて説明する。
【００１７】
ここで、以下の説明において現れる保護者と被保護者について、一例として、保護者は親を意味し、被保護者は子供のことを意味する。
＜構成＞
以下、図１及び図２より、本実施形態に係る携帯通信機器１００の構成を説明する。
【００１８】
図１は、本実施形態に係る携帯通信機器の構成を示すブロック図である。携帯通信機器１００は、制御部１１０、表示部１２０、操作部１３０、記憶部１４０、無線通信部１５０、バッテリ部１６０、バッテリ残量検出部１７０、音声出力部１８０、時間計測部１９０、防犯ブザー２００を備える。図２は、本実施形態に係る携帯通信機器の外観を示す図である。
【００１９】
制御部１１０は、携帯通信機器１００を構成する各部を制御する。この制御部１１０は、図示しないＣＰＵ（中央処理装置）と、このＣＰＵを動作させる制御プログラムを含んでいる。なお、制御プログラムは、後述する記憶部１４０に記憶される。
【００２０】
表示部１２０は、ＬＣＤ（Ｌｉｑｕｉｄ  Ｃｒｙｓｔａｌ  Ｄｉｓｐｌａｙ）や有機ＥＬ（Ｅｌｅｃｔｒｏ  Ｌｕｍｉｎｅｓｃｅｎｔ）等の表示デバイスを有し、電話帳データ、テキストデータ、画像データ等を表示する。また、表示部１２０は、バッテリ残量検出部１７０から制御部１１０を通じて通知されたバッテリ１６０の残量、充電が必要である旨等のバッテリに関する情報を表示する。また、表示部１２０には、バッテリに関する情報が保護者へ送信された際には、その旨も表示する。
【００２１】
操作部１３０は、図２に示されるように、ワンタッチキー１３１、十字キー１３２、発呼キー１３３を含んで構成される。ワンタッチキー１３１は、各キーに電話番号やメールアドレス等の宛先を対応付けて登録されている。例えば、待ち受け状態において、ユーザによりワンタッチキー１３１のいずれかが押下されると、そのキーに対応付けられた宛先が入力された状態での発呼やメール等のアプリケーションを起動される。
【００２２】
また、十字キー１３２により、選択するためのカーソルを左右上下に移動させることができる。また、発呼キー１３３により、発呼アプリを起動することができる。なお、本実施形態において、操作部１３０はこのようなキー構成に限定されず、さらに他の機能を持ったキーやテンキー等を含んでもよい。
【００２３】
記憶部１４０は、ＲＡＭやＥＰＲＯＭ等の記憶手段を有し、電話帳データ、テキストデータ、画像データを含む各種データを記憶する。
【００２４】
また、記憶部１４０は、指定された宛先に送信するための電池残量に関する情報を含むメッセージや緊急を知らせる情報を含むメッセージを予め記憶する。例として、電池残量に関するメッセージには、「電池残量は十分です。」や「電池残量が足りません。充電が必要です。」、「充電されました。」等のテキストが含まれる。さらに、緊急を知らせるメッセージには、「・・・さんから緊急通知がされました。」、「お子さんが危険にさらされています。」、「警察を呼んでください。」等のテキストが含まれる。このようなメッセージは、予め記憶されているものに加えて、新たにユーザによって作成されたものも登録したものでもよい。
【００２５】
また、記憶部１４０には、被保護者が保護者のもとを離れるイベントが発生するイベント発生時刻（第1の時刻）がスケジューラ等のアプリケーションによって保存されている。ここで、イベント発生時刻の例として、外出時刻や登校時刻等がある。ここで、制御部１１０は、記憶部１４０に保存されているイベント発生時刻より所定時間前に、バッテリ残量に関する情報を保護者へ送信する。
【００２６】
無線通信部１５０は、電話帳、テキスト、画像等の各種データを、通信ネットワークを介して送受信することが可能である。ここで、各種データには、電池残量に関する情報や緊急を知らせる情報等も含まれる。
【００２７】
バッテリ１６０は、制御部１１０を通じて、携帯通信機器１００の各部に電力を供給する二次電池からなる。また、バッテリ１６０は、図示しない充電端子から外部電源を接続することにより充電可能である。
【００２８】
バッテリ残量検出部１７０は、バッテリ１６０の残量を検出する。具体的には、バッテリ１６０の残量とは、満充電時のバッテリの電圧に対するバッテリ１６０の電圧の大きさから検出される相対的な値である。例えば、バッテリ残量は、バッテリ１６０の満充電時を１００％として、現在のバッテリ残量が６０％ならば、６０％と表される。
【００２９】
また、バッテリ残量検出部１７０は、検出したバッテリ１６０の残量を制御部１１０へ伝達する。そこで、制御部１１０は、バッテリ検出部１７０によって伝達されたバッテリ残量が第1の閾値以下であるかを判定する。次に、制御部１１０は、バッテリ残量が第1の閾値以下であると判定すると、保護者の携帯通信機器３００へイベント発生時刻（第1の時刻）より所定時間前に、記憶部１４０に保存されたメッセージを無線通信部１５０から送信させる。さらに、バッテリ１６０が第1の閾値以下から充電によって第２の閾値以上のバッテリ残量に回復した際にも、制御部１１０は、充電が回復した旨のメッセージを無線通信部１５０から送信させる。なお、制御部１１０は、バッテリ１６０の残量が第1の閾値以上である場合でも、イベント発生時刻より所定時間前に、充電が十分である旨のメッセージを無線通信部１５０から送信させる。ここで、第1の閾値とは、１日の間、待ち受け状態等の最小限の電力しか使用しない状態で消費されるバッテリ残量を示し、第２の閾値とは、通話等の機能を十分に使用することが可能なバッテリ残量を示す。第１の閾値及び第２の閾値は、任意に設定可能であり、記憶部１４０に保存される。
【００３０】
音声処理部１８０は、音声処理回路を有し、通話及び防犯ブザー２００の起動による鳴動による音声出力を行うスピーカー１８１と、通話による音声入力を行うマイク１８２を有する。
【００３１】
時間計測部１９０は、現在の時刻を計測する。制御部１１０は、待ち受け状態において、その計測された現在の時刻を表示させる。また、制御部１１０は、バッテリ残量検出部１７０によって第1の閾値以下のバッテリ残量を検出すると、時刻計測部１９０によって計測された現在の時刻を閾値検出時刻（第３の時刻）として記憶部１４０に保存する。
【００３２】
防犯ブザー２００は、指を挿入することが可能な孔を有するフック２０１と、そのフック２０１が携帯通信機器１００とは逆の方向に引かれたことを検出する引っ張り検出部２０２と、そのフック２０１と引っ張り検出部２０２とを結ぶストリングからなる。
【００３３】
ここで、ユーザがフック２０１を携帯通信機器１００とは逆の方向へ引っ張ると、引っ張り検出部２０２は、ストリングを介してフック２０１が引っ張られたことを検出する。次に、引っ張り検出部２０２から防犯ブザー２００を起動する旨の信号を受けた制御部１１０は、警告音出力を指示する信号を音声処理部１８０に伝達し、それを受信した音声処理部１８０から警告音を出力させる。
【００３４】
また、それと共に、制御部１１０は、警告報知を指示する信号を無線通信部１５０にも伝達し、無線通信部１５０によって、保護者に緊急を知らせる情報を含むメッセージを送信させる。
【００３５】
すなわち、制御部１１０は、防犯ブザー２００と協働することにより緊急呼出手段として作用する。
＜動作＞
以下、図３から図６より本実施形態に係る携帯通信機器１００の動作について説明する。
【００３６】
図３は、本実施形態に係る携帯通信機器１００の使用状況を示す図である。
【００３７】
ここでは、被保護者は、本実施形態に係る携帯通信機器１００を所持しており、保護者は、通信部等を有する携帯通信機器３００を所持している。ここで、携帯通信機器１００及び携帯通信機器３００は、互いに通信ネットワークを介して各種データの送受信を行う。
【００３８】
また、保護者の携帯通信機器３００は、無線通信部やそれを制御する制御部や無線通信部によって送受信するデータを保存する記憶部等を含んでいれば、どのような機器でもよく、例えば、携帯電話、パーソナルコンピュータ、ＰＤＡ、デジタルカメラ等であってもよい。
【００３９】
以下、図４から図６において、バッテリ残量検出部１７０によって第1の閾値以下のバッテリ残量を検出した場合における携帯通信機器１００の動作の説明をする。
【００４０】
図４は、本実施形態に係る携帯通信機器１００の動作を示すフローチャートである。
【００４１】
まず、被保護者は、事前に携帯通信機器１００のバッテリ残量が第1の閾値以下であると判定された場合にその旨を通知する相手の宛先を登録する（ステップＳ１）。ここで、ワンタッチキー１３１に予め登録されている宛先（例として、保護者）がある場合には、自動的にその宛先を通知相手として登録してもよい。
【００４２】
次に、被保護者は、イベント発生時刻（第１の時刻）を設定する（ステップＳ２）。ここで、ステップＳ１及びステップＳ２は順序が逆であってもよい。また、予め登録されている場合には、ステップＳ１及びステップＳ２は飛ばしてもよい。
【００４３】
ステップＳ１及びステップＳ２が完了すると、制御部１１０は、バッテリ残量検出部１７０によるバッテリ１６０の残量の検出を開始させる（ステップＳ３）。
【００４４】
次に、バッテリ残量検出部１７０によって、バッテリ残量が第1の閾値以下であると検出された場合（ステップＳ４：ＹＥＳ）には、Ｓ５へ移動する。ここで、一方で、第1の閾値以上のバッテリ残量が検出された場合（ステップＳ４：ＮＯ）には、バッテリ残量監視を継続する。
【００４５】
次に、ステップＳ５において、制御部１１０は、第1の閾値以下のバッテリ残量が検出された時刻を閾値検出時刻（第３の時刻）として記憶部１４０に保存させる。
【００４６】
次に、ステップＳ６において、制御部１１０は、現在のバッテリ残量が第２の閾値以上になるまでに要する時間（充電時間という）を算出する。ここで、制御部１１０は、算出した充電時間を表示部１２０に表示させてもよい。
【００４７】
さらに、ステップＳ７において、制御部１１０は、イベント発生時刻から充電時間分を遡った充電開始時刻（第２の時刻）を算出する。つまり、イベント発生時刻の段階で、第２の閾値分の残量を確保するためには、何時に充電開始するのかを示す時刻を割り出す。
【００４８】
次に、ステップＳ８において、制御部１１０は、充電開始時刻が閾値検出時刻より後であるかを判定する。ここで、充電開始時刻が閾値検出時刻より後であると判定された場合（ステップＳ８：ＹＥＳ）に、制御部１１０は、充電開始時刻に保護者の携帯通信機器３００に充電が必要である旨を無線通信部１５０によって通知させる（ステップＳ９）。イベント発生時刻までに被保護者の携帯通信機器１００が第２の閾値以上の残量までバッテリを充電することができる。
【００４９】
一方で、充電開始時刻が閾値検出時刻より前であると判定された場合（ステップＳ８：ＮＯ）に、制御部１１０は、閾値検出時刻の直後にメッセージを送信する（ステップＳ１０）。ここで、充電開始時刻が閾値検出時刻より前であるということは、イベント発生時刻までに閾値検出時刻から充電しても第２の閾値まで到達しない場合である。この場合に、閾値検出時刻直後にメッセージが送信されることで、保護者は、被保護者の携帯通信機器１００の充電が必要であることに気づき、第２の閾値に達しないまでもできるだけ長時間使用できるように充電することができる。また、制御部１１０は、閾値検出時刻からイベント発生時刻まで充電する場合にバッテリ残量がどのくらいの量になるかを同時に親の携帯通信機器３００に通知してもよい。
【００５０】
また、図５から図８において、図４における動作の具体例を説明する。
【００５１】
これらは、第1の閾値と第2の閾値との関係を大きく左右されるので、この関係を逆なせた例として、図５、６及び図７、８のそれぞれの例を示す。
【００５２】
図５及び図６を用いて、図４における具体例の一例を説明する。
【００５３】
図７及び図８を用いて、図４における具体例の他の例を説明する。
【００５４】
特に、これらを用いて、ステップＳ８の判定にかかる動作説明を行う。
〈動作の一例〉
図５は、本実施形態に係る携帯通信機器の動作の一例における電池残量の推移を表す図である。
【００５５】
図６は、本実施形態に係る携帯通信機器の動作の一例における各時刻を時系列に表す図である。理解を容易にするために、以下、具体的な値を例示して説明を行う。
【００５６】
バッテリ残量は、満充電時においては１００％である（図５：（１））。また、イベント発生時刻は午前８時として登録されている。満充電時から充電をすることなく、時間が経過するとバッテリ残量は減少していき、バッテリ残量検出部１７０によって第1の閾値である３０％以下のバッテリ残量が検出される（図５：（２））。この時の閾値検出時刻は午前７時である（図６：（２））。
【００５７】
ここで、制御部１１０は、バッテリ残量が第２の閾値である４５％に至るまでに要する充電時間は３０分であると算出する。ちなみに、〈動作の一例〉及び〈動作の他の例〉においても１５％充電するのに要する充電時間は３０分であると仮定する。よって、イベント発生時刻である午前８時から充電時間である３０分を遡った午前７時３０分が算出される（図６：（３））。この時刻が、充電開始時刻であり、この時刻から充電を開始すればイベント発生時刻である午前８時までには、第２の閾値であるバッテリ残量４５％までにバッテリを充電することができる（図５：（４））。なお、充電開始時刻におけるバッテリ残量は、閾値検出時刻におけるバッテリ残量からほとんど減少しないと考えられるため、３０％とする（図５：（３））。
【００５８】
また、制御部１１０は、充電開始時刻が閾値検出時刻より後であるかを判定し、午前７時３０分である充電開始時刻の方が後であるので、午前７時３０分に保護者へバッテリ残量を通知する。
〈動作の他の例〉
図７は、本実施形態に係る携帯通信機器の動作の他の例における電池残量の推移を表す図である。
【００５９】
図８は、本実施形態に係る携帯通信機器の動作の他の例における各時刻を時系列に表す図である。
〈動作の一例〉とは異なり、第２の閾値は７５％に設定されている。この閾値は前述の通り、任意の値に設定ができる。〈動作の一例〉と同様に、バッテリ残量検出部１７０によって第１の閾値である３０％以下のバッテリ残量が検出される（図７：（２））。この時の閾値検出時刻は（動作の一例）と同様に午前７時である（図８：（２））。
【００６０】
ここで、制御部１１０は、バッテリ残量が第2の閾値である７５％に至るまでに要する充電時間は１時間３０分であると算出される。よって、イベントの発生時刻である午前８時から充電時間である１時間３０分を遡った午前６時３０分が算出される（図８：（３））。しかし、充電開始時刻である午前６時３０分は、現在時刻である閾値検出時刻の午前７時を過ぎてしまっている。よって、充電開始時刻に通知する代わりに、現在時刻である閾値検出時刻の午前７時の直後に保護者へバッテリ残量を通知する。この通知を確認した保護者は、充電を開始することによりバッテリ残量６０％まで充電することができる（図７：（４））。
【００６１】
以上、説明したように、本実施形態における携帯通信機器１００は、予め設定されているイベント発生時刻より所定時間前にバッテリ残量に関する通知を予め設定された宛先に送信することで、保護者が被保護者の携帯通信機器１００を充電することができる。
【００６２】
また、携帯通信機器１００は、所定の閾値以下のバッテリ残量が検出された場合、イベント発生時刻より充電時間前の充電開始時刻に保護者へ通知することで、被保護者が保護者から離れるまでに１日の使用に要するバッテリ残量に達するように、携帯通信機器１００を充電することができる。
【００６３】
また、携帯通信機器１００は、閾値検出時刻からイベント発生時刻までに１日の使用に要するバッテリ充電には時間が足りない場合に、即座に電池残量に関する通知を行われるため、保護者が最低限のバッテリを確保するための充電をすることができる。
【００６４】
また、携帯通信機器１００は、イベント発生時刻をスケジュールから抽出することで、定期的な被保護者の外出の度に、イベント発生時刻を設定する操作を不要とする。
【００６５】
また、携帯通信機器１００は、防犯ブザーをさらに備え、防犯ブザーが起動された際に、通知する相手を電池残量に関する情報を送信する相手と同一とすることにより、より優先度の高い相手に緊急を知らせる通知を送信することができる。
【００６６】
また、携帯通信機器１００は、予め保存しておいたメッセージを電池残量に関する情報を保護者へ送信することで、電池残量に関する情報を文章で確認することができ、保護者がその文章に基づいて適切な対応をすることができる。
【００６７】
また、携帯通信機器１００は、表示部１２０に電池残量に関する情報及び保護者に電池残量に関する情報を送信した旨を表示させることにより、被保護者が保護者に対して電池残量に関する情報が送信されていることを認識することができる。
【００６８】
以上、本発明の実施形態を、図面を参照して説明した。もちろん、本発明の構成は、この実施形態に限られるものではなく、本発明の要旨を逸脱しない範囲の構成等も含まれる。
【００６９】
以上、動作について説明したのは、閾値以下のバッテリ残量が検出された場合について説明した。しかしながら、制御部１１０は、イベント発生時刻より所定時間前に必ずバッテリ残量を確認するように構成しても良い。この場合、検出された電池残量が閾値以上であっても、その旨を表すメッセージを無線通信部１５０によって携帯通信機器３００へ送信する。従って、保護者は、閾値以上であっても被保護者のバッテリ残量をイベント発生前に知ることができるため、安心して被保護者に携帯通信機器１００を所持させることができる。
【００７０】
なお、本発明は、保護者及び被保護者の間で通信される場合に限られず、恋人同士等の親しい関係の間で通信される場合もよいと解する。
【符号の説明】
【００７１】
１００  携帯通信機器
１１０  制御部（制御手段）
１２０  表示部（表示手段）
１４０  記憶部（記憶手段）
１５０  無線通信部（通信手段）
１６０  バッテリ（電池）
１７０  バッテリ残量検出手段（電池残量検出手段）
１８０  音声制御部（音声出力手段）
１９０  時刻計測部（時刻計測手段）
２００  防犯ブザー
３００  携帯通信機器（保護者）
【図１】
0005623119.tif 000002
【図２】
0005623119.tif 000003
【図３】
0005623119.tif 000004
【図４】
0005623119.tif 000005
【図５】
0005623119.tif 000006
【図６】
0005623119.tif 000007
【図７】
0005623119.tif 000008
【図８】
0005623119.tif 000009